(57)【特許請求の範囲】
【請求項１】
収納部を有するハウジングと、前記収納部を覆うように前記ハウジングに取り付けられ、一対のアーム部が設けられたフレームとを備え、前記ハウジングは、対向する一対の外側面部から外方に突出するフック部と、このフック部の下部に隣接して、前記フック部の突出方向と反対方向に前記外側面部を凹まして設けられた凹部と、前記フック部の下面に設けられた係止面部を有し、前記フレームの一対の前記アーム部は、前記フック部が嵌入される窓部と、この窓部の下部に設けられた橋絡部を有し、一対の前記アーム部の前記窓部内には、前記フック部が嵌入されて、前記橋絡部の上縁部が前記係止面部に係止し、前記橋絡部の一部を前記凹部方向に突出変形させて突出係止部を設け、前記凹部内に位置した前記突出係止部の上縁部が前記係止面部に係止すると共に、前記突出係止部が形成された際、前記窓部の下縁側の幅寸法が小さくなって、前記窓部の両側縁で前記フック部を挟持させるようにしたことを特徴とする押釦スイッチ。
【発明の詳細な説明】
【０００１】
【発明の属する技術分野】
本発明は、各種電子機器の操作用スイッチとして使用される押釦スイッチの構造に関し、特にハウジングとフレームとの取り付け部の構造に関する。
【０００２】
【従来の技術】
従来の押釦スイッチのハウジングとフレームとの取り付け構造としては図１０に示すものがある。図１０は押釦スイッチの組み立てた状態を示す全体斜視図である。
【０００３】
図において、ハウジング１１は、合成樹脂などの絶縁材で上面が開口され内部に収納部を有する略箱状に形成されており、この内底部には、黄銅などの導電性の金属材から形成された固定接点（図示せず）が、インサート成形などの方法で配設されている。この固定接点は、前記ハウジング１１の内底部に埋設された導電部と、この導電部から前記ハウジング１１の外方へ延設された端子部１２と、前記ハウジング１１の内底面に表出され、図示しない可動接点と接離される接点部とから形成されたものとなっている。
また、前記ハウジング１１の一対の外側面部には、外方へ突出されたフック部１１ａが形成されており、このフック部１１ａに後述するフレームの窓部が係合されるものとなっている。また、このフック部１１ａの上部にはテーパー面１１ｂが設けられている。
【０００４】
フレーム１４は、ステンレスなどのばね性を有する金属材で略コ字状に形成されており、この中央部には、前記ハウジング１１に移動可能に収納されたステム１３が貫通される貫通孔１４ａが設けられ、この貫通孔１４ａが設けられた面を挟んで両端部には一対のアーム部１４ｂが形成されている。また、この一対のアーム部１４ｂの先端は外方へ折り曲げられて傾斜面部１４ｃが形成されており、この傾斜面部１４ｃを設けることで、前記ハウジング１１の開口部への取り付けが容易となっている。
また、前記アーム部１４ｂには、矩形状の窓部１４ｄが形成されており、この窓部１４ｄに前記ハウジング１１のフック部１１ａが嵌入されることで、前記ハウジング１１と前記フレーム１４とが係合されるものとなっている。
【０００５】
前記ハウジング１１に前記フレーム１４を取り付ける場合には、前記ハウジング１１の収納部に図示しない可動接点と前記ステム１３を挿入した後、前記収納部を覆うように前記ハウジング１１の上方から前記フレーム１４を被せる。この時、前記フレーム１４に設けられた一対の前記アーム部１４ｂの先端の傾斜面部１４ｃは、前記ハウジング１１のフック部１１ａの前記テーパー面１１ｂに沿って挿入され、自身のばね性によって外側に押し広げられることにより、前記フック部１１ａを乗り越えることとなる。この時、前記窓部１４ｄの下縁部が、前記フック部１１ａの下部に係止されることで取り付けが完了する。
【０００６】
【発明が解決しようとする課題】
しかしながら、上述した従来の押釦スイッチのハウジングとフレームとの取り付け構造においては、前記ハウジング１１の前記フック部１１ａの下部でのみ、前記フレーム１４の前記窓部１４ｄの下縁部が係止する構造となっていることから、前記フレーム１４が前記フック部１１ａから外れ易く、これを防止するためには、前記フック部１１ａの突出寸法を大きくする必要があり、このため前記ハウジング１１の外形寸法が大きくなってしまい、スイッチの小型化が困難になるという問題があった。
【０００７】
また、前記ハウジング１１に前記フレーム１４を取り付ける際、前記フック部１１ａの幅寸法と、前記窓部１４ｄの幅寸法との寸法のバラツキによって、前記フレーム１４に取り付けガタが発生してしまうという問題があった。
【０００８】
したがって、本発明では上述した問題点を解決し、ハウジングやスイッチの外形を大きくすることなく、フレームをハウジングに確実に取り付けることが可能であると共に、組立が容易で、取り付け後のフレームの取り付けガタの発生を防止できるハウジングとフレームとの取り付け構造を提供することを目的とする。
【０００９】
【課題を解決するための手段】
上記課題を解決するために本発明では第１の手段として、収納部を有するハウジングと、前記収納部を覆うように前記ハウジングに取り付けられ、一対のアーム部が設けられたフレームとを備え、前記ハウジングは、対向する一対の外側面部から外方に突出するフック部と、このフック部の下部に隣接して、前記フック部の突出方向と反対方向に前記外側面部を凹まして設けられた凹部と、前記フック部の下面に設けられた係止面部を有し、前記フレームの一対の前記アーム部は、前記フック部が嵌入される窓部と、この窓部の下部に設けられた橋絡部を有し、一対の前記アーム部の前記窓部内には、前記フック部が嵌入されて、前記橋絡部の上縁部が前記係止面部に係止し、前記橋絡部の一部を前記凹部方向に突出変形させて突出係止部を設け、前記凹部内に位置した前記突出係止部の上縁部が前記係止面部に係止すると共に、前記突出係止部が形成された際、前記窓部の下縁側の幅寸法が小さくなって、前記窓部の両側縁で前記フック部を挟持させるようにしたことを特徴とする。
【００１４】
【発明の実施の形態】
以下、本発明の押釦スイッチの１実施例を図１乃至図９に示す。図１は押釦スイッチの平面図、図２は同じく正面図、図３は同じく底面図、図４は同じく縦断面図、図５はハウジングの平面図、図６は同じく正面図、図７は同じく底面図、図８はフック部の部分断面図、図９はアーム部とフック部の係合状態を示す説明図である。
【００１５】
図において、ハウジング１は、合成樹脂などの絶縁材で形成され、有底で上面が開口され、その内部に収納部１ａを有する箱状に形成されている。このハウジング１の内底部には、黄銅などの導電性の金属材で形成された固定接点２が、インサート成形などの方法で前記ハウジング１に一体的に成形され配設されたものとなっている。この固定接点２は、その導電部が前記ハウジング１の内底部に埋設され、この導電部と一体で前記ハウジング１の外方へと延設された端子部２ａと、前記ハウジング１の内底面に表出されて配設された中央接点２ｂと、この中央接点２ｂを挟んで一定の隙間を保持して配設された一対の切換接点２ｃとから形成されたものとなっている。
【００１６】
また、前記ハウジング１の外方へ延設された端子部２ａは、前記導電部に前記ハウジング１の内底部で複数の曲げ部が設けられていることにより、前記ハウジング１の底面と面一となるように形成されており、この端子部２ａの先端は、前記ハウジング１の外側面に沿うように立ち上げられたＪベント形状に形成されている。この端子部２ａの先端がＪベント形状に形成されていることから、前記ハウジング１を使用した押釦スイッチの回路基板上への表面実装が可能となっている。
【００１７】
また、前記ハウジング１の対向する一対の外側面部には、後述するフレームの窓部に係合されるフック部１ｂが形成されている。このフック部１ｂは、前記ハウジング１の外側面部から外方へ矩形状に突出されて形成されており、前記ハウジング１の開口側である上面の縁部には、前記開口側に向かって先細となるテーパー面１ｃが形成されている。このテーパー面１ｃを設けることにより、前記フック部１ｂへのフレームの挿入性を向上させている。
【００１８】
また、前記フック部１ｂの下部には、このフック部１ｂと上下に連続して並設された凹部１ｄが形成されている。この凹部１ｄの上面と前記フック部１ｂの下面とは、お互いに連続した同一の面で形成されており、この連続した同一の面が係止面部１ｅを構成し、この係止面部１ｅによって、後述するフレームの窓部の下縁部が係止されることでフレームが前記ハウジング１に係合されるものとなっている。
【００１９】
また、本実施例ではこの係止面部１ｅは、前記凹部１ｄの底部に位置する基部１ｆから、前記フック部１ｂ先端に行くに従って、前記凹部１ｄの開口側に広がるような傾斜面で構成されており、この係止面部１ｅに傾斜面を設けることで、この傾斜面と後述するフレームの窓部の下縁部とが食い込むことで強嵌合となり、傾斜面を設けない場合に比較して強固な係合状態が得られるものとなっている。
【００２０】
ステム３は、合成樹脂などの絶縁材で略円柱状に形成され、その上面部は、人の指などで操作される平面状の押圧部３ａが設けられている。この押圧部３ａに対向する下面側には、ドーム状の可動接点５を前記固定接点２側へ屈曲させる、下面側へ突出された押圧突部３ｂが形成されている。シート部材６は、弾性を有するシート状の樹脂で形成され、前記ハウジング１の開口部を覆うように配設されており、前記押圧突部３ｂで前記可動接点５と共に押圧される。
【００２１】
フレーム４は、ステンレスなどのばね性を有する金属材で略コ字状に形成されており、このフレーム４の上面の中央部には、外方へ突出した膨出部４ａが設けられている。この膨出部４ａの中央には、前記ハウジング１の開口内に移動可能に収納された前記ステム３が貫通される貫通孔４ｂが設けられ、この貫通孔４ｂが設けられた面を挟んで両端部には一対のアーム部４ｃが対向されて形成されている。このアーム部４ｃには、下端側に橋絡部４ｆを残して矩形状の窓部４ｄが形成されており、この窓部４ｄの下端側の橋絡部４ｆには、前記ハウジング１に形成された前記凹部１ｄ内へ突出する方向へ折り曲げられ、前記凹部１ｄに係合される突出係止部４ｅが形成されている。この突出係合部４ｅは、予め曲げ加工することで、前記フレーム４に形成しておいても良いが、前記フレーム４を前記ハウジング１に係合した後に前記橋絡部４ｆを凹部１ｄ方向に突出変形させても良い。
【００２２】
図９に示すように、前記突出係止部４ｅを前記凹部１ｄ方向へ突出変形させ、前記窓部４ｄの下縁の幅寸法Ｗ１を内側へ収縮変形させることにより、上縁の幅寸法Ｗ２に比較して、下縁の幅寸法Ｗ１を若干小さく形成できることから、この窓部４ｄの両側縁で前記フック部１ｂを挟持させた場合には、前記フック部１ｂの幅寸法と、前記窓部４ｄの幅寸法との寸法のバラツキを吸収することができ、前記フレーム４の取り付けガタが押さえられる。
【００２３】
上記実施例においては、前記ハウジング１にフック部１ｂとこれに連接して凹部１ｄを形成すると共に、前記フック部１ｂの下面及び前記凹部１ｄの上面に連続した同一面からなる係止面部１ｅを形成し、この係止面部１ｅに前記フレーム４の窓部４ｄの下縁部を前記凹部１ｄ内へ突出し係止したことから、前記フック部１ｂの突出寸法を大きくする必要がなく、強固な係合状態が得られると共に、ハウジング１及びスイッチの小型化が図れるものである。
【００２４】
尚、上記実施例においては前記ハウジング１の外側面から突出させて前記フック部１ｂを設けたが、本発明はこれに限定されるものではなく、例えば、前記ハウジング１の外側面にこの外側面より凹ませた面を設け、この面に、前記外側面の内側に位置するように更に突出させたフック部１ｂを形成しても良く、この場合にも上記実施例と同様の効果がえられるものとなる。
【００２５】
また、前記ハウジング１には前記フック部１ｂを形成するものとしたが、このフック部１ｂの代わりに前記凹部１ｄを深く形成し、この凹部１ｄの係止面部１ｅに前記フレーム４の突出係止部４ｅを係合させる構成としても、ハウジング１やスイッチの外形を大きくすることなしに強固な係合状態が得られる。
【００２６】
【発明の効果】
以上説明したように、本発明の押釦スイッチは、ハウジングは、対向する一対の外側面部から外方に突出するフック部と、このフック部の下部に隣接して、フック部の突出方向と反対方向に外側面部を凹まして設けられた凹部と、フック部の下面に設けられた係止面部を有し、フレームの一対のアーム部は、フック部が嵌入される窓部と、この窓部の下部に設けられた橋絡部を有し、一対のアーム部の窓部内には、フック部が嵌入されて、橋絡部の上縁部が係止面部に係止し、橋絡部の一部を凹部方向に突出変形させて突出係止部を設け、凹部内に位置した突出係止部の上縁部が係止面部に係止すると共に、突出係止部が形成された際、窓部の下縁側の幅寸法が小さくなって、窓部の両側縁でフック部を挟持させるようにしたことから、フック部と凹部との両方でアーム部の窓部の下縁部を係止するため、フック部の突出寸法を小さくすることができ、ハウジングやスイッチの外形を大きくすることなしに強固な係合が得られ、フレーム外れなどを防止できる。
また、ハウジングの対向する一対の外側面部の上下部に隣接してフック部と凹部を並設したので、構造が複雑とならずにシンプルであるため、部品の加工性及び組立て性が良い。
また、突出係止部を凹部方向へ突出変形させて、窓部の下縁の幅寸法を小さくすることにより、この窓部の両側縁でフック部を挟持させるようにしたので、フック部の幅寸法と、窓部の幅寸法との寸法のバラツキを吸収することができ、フレームの取り付けガタが押さえられる。
【図面の簡単な説明】
【図１】本発明の１実施例である押釦スイッチを示す平面図である。
【図２】本発明の同じく押釦スイッチを示す正面図である。
【図３】本発明の同じく押釦スイッチを示す底面図である。
【図４】本発明の同じく押釦スイッチを示す縦断面図である。
【図５】本発明の１実施例であるハウジングを示す平面図である。
【図６】本発明の同じくハウジングを示す正面図である。
【図７】本発明の同じくハウジングを示す底面図である。
【図８】本発明の１実施例であるフック部を示す部分断面図である。
【図９】本発明の１実施例であるアーム部とフック部の係合状態を示す説明図である。
【図１０】従来の押釦スイッチの組み立てた状態を示す全体斜視図である。
【符号の説明】
１  ハウジング
１ａ  収納部
１ｂ  フック部
１ｃ  テーパー面
１ｄ  凹部
１ｅ  係止面部
１ｆ  基部
２  固定接点
２ａ  端子部
２ｂ  中央接点
２ｃ  切換接点
３  ステム
３ａ  押圧部
３ｂ  押圧突部
４  フレーム
４ａ  膨出部
４ｂ  貫通孔
４ｃ  アーム部
４ｄ  窓部
４ｅ  突出係止部
４ｆ  橋絡部
５  可動接点
６  シート部材
【図１】
0003762572.tif 000002
【図２】
0003762572.tif 000003
【図３】
0003762572.tif 000004
【図４】
0003762572.tif 000005
【図５】
0003762572.tif 000006
【図６】
0003762572.tif 000007
【図７】
0003762572.tif 000008
【図８】
0003762572.tif 000009
【図９】
0003762572.tif 000010
【図１０】
0003762572.tif 000011